(57)【特許請求の範囲】
【請求項１】
接続解除位置にある接続操作手段を接続作用位置まで移動操作することにより、絶縁ハウジングの内部に挿入された接続対象物の固定を行うように構成された電気コネクタにおいて、
前記接続操作手段には、前記接続対象物の非挿入時に当該接続操作手段の移動操作を禁止し、かつ前記接続対象物の挿入時には当該接続操作手段の移動操作を許容する空閉じ防止手段が付設され、
前記空閉じ防止手段は、前記接続対象物の挿入方向に延在する支持ビームと、その支持ビームに対して当該支持ビームの一端側を折り返すように連設された揺動ビームと、を備え、
前記揺動ビームは、前記接続対象物に対面する前端側に折返し部を有し、その前端側に設けられた折返し部から後端側に向かって片持ち状に延在する形状を有していることを特徴とする電気コネクタ。
【請求項２】
前記空閉じ防止手段は、前記接続操作手段の移動操作の軌跡上であって、前記接続対象物の非挿入時に前記接続操作手段と干渉する位置に配置されていることを特徴とする請求項１記載の電気コネクタ。
【請求項３】
前記空閉じ防止手段は、前記絶縁ハウジングの内部に挿入された前記接続対象物と接触可能に配置されていることにより、当該接続対象物の挿入と連動して前記接続操作手段と非干渉となる位置まで弾性変位するように構成されていることを特徴とする請求項２記載の電気コネクタ。
【請求項４】
前記空閉じ防止手段は、前記接続対象物の非挿入時に前記接続操作手段と嵌合して当該接続操作手段を係止するように構成されていることを特徴とする請求項１記載の電気コネクタ。
【請求項５】
前記空閉じ防止手段は、前記絶縁ハウジングの内部に挿入された前記接続対象物と接触可能に配置されていることにより、当該接続対象物の挿入と連動して前記接続操作手段と非嵌合となる位置まで弾性変位するように構成されていることを特徴とする請求項４記載の電気コネクタ。
【請求項６】
前記空閉じ防止手段には、前記接続操作手段の移動操作方向とは反対側の方向において当該接続操作手段と係合する操作保持部が設けられていることを特徴とする請求項２又は請求項４記載の電気コネクタ。
【発明の詳細な説明】
【技術分野】
【０００１】
本発明は、接続操作手段（アクチュエータ）を移動操作することより接続対象物の固定を行うように構成された電気コネクタに関する。
【背景技術】
【０００２】
一般に、種々の電気機器等において、フレキシブル・プリンテッド・サーキット（ＦＰＣ）用配線板や、フレキシブル・フラット・ケーブル（ＦＦＣ）等の各種接続対象物を電気的に接続するために電気コネクタが広く用いられている。例えば、特許文献１に記載された電気コネクタでは、図２５に示されているように、ＦＰＣやＦＦＣ等からなる接続対象物１が、絶縁ハウジング（インシュレータ）２の前端側開口部から内部に挿入され、その後に、接続操作手段としてのアクチュエータ（加圧部材）３が、前方側の接続作用位置に向かって倒されるように回動操作される。そして、その接続作用位置まで回動操作されたアクチュエータ（加圧部材）３の押圧力によって、導電コンタクト４が上記接続対象物（ＦＰＣ，ＦＦＣ）１に圧接するように変位され、それによって接続対象物１の固定が行われるようになっている。
【０００３】
このとき、特許文献１においては、接続対象物（ＦＰＣ，ＦＦＣ）１が不完全に挿入された状態で固定されることを防止するために、アクチュエータ（加圧部材）３に検知突起部３ａが設けられている。そのアクチュエータ３の検知突起部３ａは、ロックアーム５のアームバネ部５ａに対して上方側から対面するように配置されており、上記接続対象物１が不完全に挿入された場合に、そのアームバネ部５ａと両側板部６，６との間の隙間に上記アクチュエータ３の検知突起部３ａが入り込めないように設定されていることによって、アクチュエータ３の回動操作が禁止されるようになっている。このような特許文献１にかかる構成を採用すれば、接続対象物１を電気コネクタに挿入する際における接続対象物１の不完全な挿入が未然に防止されることとなる。
【０００４】
しかしながら、上述したような構成を有する特許文献１記載の電気コネクタでは、上述したように接続対象物（ＦＰＣ，ＦＦＣ）１が挿入されてアームバネ部５ａが変位され、それによってアクチュエータ（加圧部材）３の回動操作が禁止される構成になされていることから、接続対象物１が非挿入の状態では、アクチュエータ３の回動操作が禁止されることがない。そのため、接続対象物１が挿入されていない非挿入の状態においては、アクチュエータ３を誤って触れることなどにより当該アクチュエータ３が回動操作され、いわゆる空閉じ操作が行われてしまうおそれがある。そして、そのような空閉じ操作によって、アクチュエータ３が接続作用位置まで回動操作されると、ロック状態に嵌合されてしまうことなどにより、再び元の接続解除位置までアクチュエータ３を引き起こす操作に非常に手間がかかることとなってしまい、電気コネクタ全体の生産性に影響を及ぼす場合がある。
【０００５】
また、接続対象物（ＦＰＣ，ＦＦＣ）１の非挿入時には、導電コンタクト４が当接すべき接続対象物１が存在していないことから、上述したアクチュエータ（接続操作手段）３の回動操作（空閉じ操作）によって導電コンタクト４の変位量が大きくなってしまい、その結果、導電コンタクト４に塑性変形が発生してしまうことがある。このような導電コンタクト４の塑性変形は、特に電気コネクタを小型化した場合において顕著となる。
【０００６】
さらに、一般の電気コネクタにおいて接続対象物（ＦＰＣ，ＦＦＣ）１を挿入する際には、その接続対象物１が横幅方向に位置ズレした状態で接続されてしまったり、アクチュエータ（接続操作手段）３を回動して行う固定操作の際に脱落してしまうおそれがある。この点に関して上述した特許文献１にかかる電気コネクタでは、ロックアーム５に設けられたアーム突部５ｂの前端側突出部分が、接続対象物１に当接するように構成されていることから、接続対象物１に対するガイド機能、すなわち位置ズレ防止の機能や、接続対象物１の固定操作が完了するまで仮保持する機能が多少得られることも考えられる。しかしながら、同文献１におけるロックアーム５のアーム突部５ｂは、後端側から前端側に向かって片持ち状に突出するように延在しており、そのために接続対象物３０に当接する前端縁部分が大きく柔軟に変位しやすい構造となっている。その結果、接続対象物１を位置決めする機能や、固定操作を完了するまでの仮保持機能が十分に得られない。
【０００７】
【特許文献１】特開２０００−３０７８４号公報
【発明の開示】
【発明が解決しようとする課題】
【０００８】
そこで本発明は、簡易な構成で、接続操作手段におけるいわゆる空閉じ操作を良好に防止して生産性の向上を図るとともに、導電コンタクトの塑性変形を良好に回避することができるようにした電気コネクタを提供することを第１の目的とする。
また本発明は、簡易な構成にて、接続対象物を挿入する際の位置決め機能又は固定操作が完了するまでの仮保持機能を良好に行うことができるようにした電気コネクタを提供することを第２の目的とする。
【課題を解決するための手段】
【０００９】
上記目的を達成するため本発明では、接続解除位置にある接続操作手段を接続作用位置まで移動操作することにより、絶縁ハウジングの内部に挿入された接続対象物の固定を行うように構成された電気コネクタにおいて、前記接続操作手段には、前記接続対象物の非挿入時に当該接続操作手段の移動操作を禁止する空閉じ防止手段が付設された構成が採用されている。
【００１０】
このような構成を有する本発明によれば、空閉じ防止手段によって接続対象物の非挿入時における接続操作手段の移動操作である、いわゆる空閉じ操作が良好に防止されることとなり、その接続操作手段の空閉じによる生産性の低下や、導電コンタクトの塑性変形等が良好に防止されるようになっている。
【００１１】
また本発明における空閉じ防止手段は、前記接続対象物の挿入時に当該接続操作手段の移動操作を許容するように構成することが可能である。
【００１２】
このような構成を採用した本発明によれば、接続対象物の挿入後における接続操作手段の移動操作が確実に行われることとなる。
【００１３】
また本発明における空閉じ防止手段は、前記接続操作手段の移動操作の軌跡上であって、前記接続対象物の非挿入時に前記接続操作手段と干渉する位置に配置される構成とすることが可能である。
【００１４】
このような構成を採用した本発明によれば、空閉じ防止手段が接続操作手段に干渉するという簡易な構成によって、接続対象物の非挿入時における接続操作手段の移動操作である空閉じ操作が良好に防止されるようになっている。
【００１５】
また本発明における空閉じ防止手段は、前記絶縁ハウジングの内部に挿入された前記接続対象物と接触可能に配置されていることより、当該接続対象物の挿入と連動して前記接続操作手段と非干渉となる位置まで弾性変位するように構成することが可能である。
【００１６】
このような構成を採用した本発明によれば、接続対象物が挿入されることに連動して、空閉じ防止手段が接続操作手段と非干渉状態に変位されることから、接続対象物の挿入後における接続操作手段の移動操作が確実に行われる。
【００１７】
また本発明にかかる空閉じ防止手段は、前記接続対象物の非挿入時に前記接続操作手段と嵌合して当該接続操作手段を係止するように構成することが可能である。
【００１８】
このような構成を採用した本発明によれば、空閉じ防止手段が接続操作手段に嵌合するという簡易な構成によって、接続対象物の非挿入時における接続操作手段の移動操作である空閉じ操作が良好に防止されるようになっている。
【００１９】
また本発明にかかる空閉じ防止手段は、前記絶縁ハウジングの内部に挿入された前記接続対象物と接触可能となるように配置されていることにより、当該接続対象物の挿入と連動して前記接続操作手段と非嵌合となる位置まで弾性変位するように構成することが可能である。
【００２０】
このような構成を採用した本発明によれば、接続対象物が挿入されることに連動して、空閉じ防止手段が接続操作手段と非嵌合状態に変位されることから、接続対象物の挿入後における接続操作手段の移動操作が確実に行われる。
【００２１】
また本発明にかかる空閉じ防止手段は、前記接続対象物の挿入方向に延在する支持ビームと、その支持ビームに対して当該支持ビームの一端側を折り返すように連設された揺動ビームと、を備えた構成とすることが可能である。
【００２２】
このような構成を採用した本発明によれば、空閉じ防止手段を構成している支持ビームと揺動ビームとが一体的に形成されることとなり、空閉じ防止手段の製造が効率的に行われる。
【００２３】
また、本発明にかかる揺動ビームは、前記接続対象物に対面する前端側に折返し部を有し、その前端側に設けられた折返し部から後端側に向かって片持ち状に延在する形状を有する構成とすることが可能である。
【００２４】
このような構成を採用した本発明によれば、接続対象物が接触する揺動ビームの折返し部を構成している片持ち構造の前端側根本部分が、揺動可能な後端側部分に比してより高い剛性を有する部位になされることとなり、その揺動ビームの高剛性を有する前端側折返し部分に対して接続対象物が当接しながら挿入が行われることによって、当該接続対象物の挿入時における位置決め作用又は固定操作が完了するまでの仮保持作用が良好に行われるようになっている。
【００２５】
また、本発明にかかる空閉じ防止手段には、前記接続操作手段の移動操作方向とは反対側の方向において当該接続操作手段と係合する操作保持部が設けられた構成とすることが可能である。
【００２６】
このような構成を採用した本発明によれば、接続操作手段に対する操作保持部の係止作用によって、当該接続操作手段が移動操作方向とは反対側方向に倒れ込むことがなくなり、接続対象物の挿入作業時において接続操作手段が操作容易な位置に保持されることによって、当該接続操作手段の移動操作が円滑に行われるとともに、接続操作手段が操作方向と反対側の方向へ外れてしまうような事態が回避されるようになっている。
【発明の効果】
【００２７】
以上述べたように本発明にかかる電気コネクタは、接続対象物の非挿入時に接続操作手段の移動操作を禁止する空閉じ防止手段を付設し、その空閉じ防止手段によって接続対象物の非挿入時における接続操作手段のいわゆる空閉じ操作を防止することとして、接続操作手段の空閉じによる生産性の低下や導電コンタクトの塑性変形等を良好に防止するとともに、接続対象物を挿入するにあたっての位置決め又は仮保持を良好に行うように構成したものであるから、電気コネクタの信頼性を低廉かつ大幅に向上させることができる。
【発明を実施するための最良の形態】
【００２８】
以下、本発明の実施の形態を図面に基づいて詳細に説明する。
【００２９】
［第１の実施形態］
まず、図１〜図９に示された第１の実施形態は、コネクタ後端側（図２及び図３の右端側）に配置された接続操作手段（アクチュエータ１５）が、接続対象物１４を挿入するコネクタ前端側（図２及び図３の左端側）に向かって倒されるように回動される型式の電気コネクタ１０に本発明を適用したものであって、細長状に延在する中空枠体状部材からなる絶縁ハウジング１１を備えているとともに、その絶縁ハウジング１１の内部には、適宜の形状をなす金属製部材により形成された第１及び第２の導電コンタクト１２，１３が、前記絶縁ハウジング１１の横幅方向（長手方向）に沿って適宜の間隔をなして多極状に配置されている。これらの第１及び第２の導電コンタクト１２，１３は、互いに異なる形状を有する構成になされていて、信号伝送用又はシールド用のいずれかとして用いられ、図示を省略した印刷配線基板上に実装された状態で使用される。
【００３０】
上記絶縁ハウジング１１のコネクタ前端側（図２及び図３の左端側）には、フレキシブル・プリンテッド・サーキット（ＦＰＣ）用配線板やフレキシブル・フラット・ケーブル（ＦＦＣ）等からなる接続対象物１４が挿入される対象物挿入口１１ａが設けられているとともに、その反対側のコネクタ後端側（図２及び図３の右端側）には、後述する接続操作手段としてのアクチュエータ１５の部品取付口１１ｂが設けられている。
【００３１】
上述した第１及び第２の導電コンタクト１２，１３の各々は、前記コネクタ後端側の部品取付口１１ｂ及びコネクタ前端側の対象物挿入口１１ａから、それぞれ前方側（図示左方側）及び後方側（図示右方側）に向かって挿入されることにより装着されており、前記接続対象物（ＦＰＣ又はＦＦＣ）１４の表裏両面のいずれかに形成された信号伝送用導電路（信号線）又はシールド用導電路（シールド線）のいずれか一方及び他方に対応した位置に対して前記第１及び第２の導電コンタクト１２，１３がそれぞれ配置されている。これらの第１及び第２の導電コンタクト１２，１３は、上述した接続対象物１４の挿入方向（図２及び図３の右方向）に沿って延在する一対の細長状ビーム部材からなる可動ビーム１２ａ，１３ａ及び固定ビーム１２ｂ，１３ｂをそれぞれ有している。
【００３２】
これらの可動ビーム１２ａ，１３ａ及び固定ビーム１２ｂ，１３ｂは、上述した絶縁ハウジング１１の内部空間において図示上下に適宜の間隔をなして互いに対向するように配置されている。そのうちの固定ビーム１２ｂ，１３ｂは、前記絶縁ハウジング１１の内部で略不動状態となるように固定されている。また、それら両ビーム１２ａ，１２ｂ及び１３ａ，１３ｂどうしは、延在方向の略中央部分において図示の略鉛直方向に延在する細幅板状の連結支柱部１２ｃ，１３ｃにより一体的に連結されており、それによって前記可動ビーム１２ａ，１３ａが、前記固定ビーム１２ｂ，１３ｂに対して弾性的な可撓性を有する構成になされている。
【００３３】
すなわち、それらの各可動ビーム１２ａ，１３ａは、前記連結支柱部１２ｃ，１３ｃを回動中心として揺動可能となるように構成されており、図２及び図３の紙面平面において上下方向に変位する構成になされている。そして、当該可動ビーム１２ａ，１３ａのコネクタ前端側部分（図示左端側部分）には、前記接続対象物（ＦＰＣ又はＦＦＣ）１４の図示上面側に形成された信号伝送用又はシールド用の導電路（図示省略）のいずれかに接続される端子接触凸部１２ａ１，１３ａ１が図示下向きの突形状をなすように設けられている。
【００３４】
一方、前記固定ビーム１２ｂ，１３ｂは、絶縁ハウジング１１の底部内壁面に沿って延在するように配置されているが、それらの各固定ビーム１２ｂ，１３ｂにおけるコネクタ前方側（図示左方側）の先端部分には、上述した接続対象物（ＦＰＣ又はＦＦＣ）１４の図示下面側に形成された信号伝送用又はシールド用の導電路（図示省略）のいずれかに接続される端子接触凸部１２ｂ１，１３ｂ１が図示上向きの突形状をなすように設けられている。これらの端子接触凸部１２ｂ１，１３ｂ１は、上述した可動ビーム１２ａ，１３ａ側の端子接触凸部１２ａ１，１３ａ１の図示直下位置に対面するように配置されており、それらの端子接触凸部１２ａ１と１２ｂ１，１３ａ１と１３ｂ１どうしの間に、上述した接続対象物（ＦＰＣ又はＦＦＣ）１４が挟持されるように構成されている。
【００３５】
なお、これらの可動ビーム１２ａ，１３ａの端子接触凸部１２ａ１，１３ａ１、及び固定ビーム１２ｂ，１３ｂの端子接触凸部１２ｂ１，１３ｂ１は、互いの位置をコネクタ前方側（図示左方側）或いはコネクタ後方側（図示右方側）にずらして配置することも可能である。また、固定ビーム１２ｂは、基本的に不動状態となるように固定されているが、上述した接続対象物（ＦＰＣ又はＦＦＣ）１４の挿入を容易化する等の目的で、先端部分が弾性変位可能となるように形成することが可能である。そして、本実施形態においては、上述した第１の導電コネクタ１２における固定ビーム１２ｂの前端部分が、絶縁ハウジング１１の底壁面から僅かに浮き上がるように形成されている。
【００３６】
さらに、前記固定ビーム１２ｂ，１３ｂにおけるコネクタ後端側部分（図２及び図３の右端側部分）及びコネクタ前端側部分（図２及び図３の左端側部分）には、図示を省略した印刷配線基板上に形成された導電路に半田接続される接続端子部１２ｂ２，１３ｂ２がそれぞれ形成されている。
【００３７】
さらにまた、前記可動ビーム１２ａ，１３ａのコネクタ後端側部分（図２及び図３の右端側部分）には、凹形状をなす被作動部１２ａ２，１３ａ２がそれぞれ設けられている。それらの被作動部１２ａ２，１３ａ２には、前記絶縁ハウジング１１の後端部分に装着された接続操作手段としてのアクチュエータ１５の押圧カム部１５ａが、図示下方側から凹形状内に入り込むようにして接触配置されていて、そのような接触配置関係によって上記アクチュエータ１５が回動自在となるように支持されている。
【００３８】
そのアクチュエータ（接続操作手段）１５は、上述した絶縁ハウジング１１の後端部分において横幅方向（長手方向）に細長状に延在する略板状部材から構成されており、当該アクチュエータ１５の回動側自由端部分（図２及び図３の上端部分）を構成している開閉操作部１５ｂに、作業者が適宜の回動操作力が付与されることによって、図１のようにほぼ直立した状態の「接続解除位置」と、図９のように前方側に向かってほぼ水平に倒された状態の「接続作用位置」との間で回動操作される構成になされている。
【００３９】
ここで、上述したようにアクチュエータ（接続操作手段）１５の開閉操作部１５ｂを作業者が手で把持しながら「接続解除位置」（図１参照）から「接続作用位置」（図９参照）に向かって押し倒すようにして回動操作が行われると、上述した押圧カム部１５ａの回転半径が、固定ビーム１２ｂ，１３ｂと可動ビーム１２ａ，１３ａとの間において増大する方向に変化する構成になされている。そして、その押圧カム部１５ａの径変化に従って、前記可動ビーム１２ａ，１３ａの後端側に設けられた被作動部１２ａ２，１３ａ２が図示上方側に持ち上げられるように変位し、それに伴って上記被作動部１２ａ２，１３ａ２と反対側（コネクタ前端側）に設けられた端子接触凸部１２ａ１，１３ａ１が下方に押し下げられていくようになっている。
【００４０】
そして、そのアクチュエータ（接続操作手段）１５が最終の回動位置である「接続作用位置」まで回動しきったときには（図９参照）、上述した可動ビーム１２ａ，１３ａにおける端子接触凸部１２ａ１，１３ａ１と、固定ビーム１２ｂ，１３ｂにおける端子接触凸部１２ｂ１，１３ｂ１との間が最狭状態となり、その間に挿入された接続対象物（ＦＰＣ又はＦＦＣ）１４が挟持される。そのとき、前記接続対象物１４に形成された信号伝送用及びシールド用の導電路（図示省略）に対して、上記端子接触凸部１２ａ１，１３ａ１及び端子接触凸部１２ｂ１，１３ｂ１のいずれかが圧接されることとなり、そのれによって電気的な接続が行われる構成になされている。
【００４１】
さらに、上述したアクチュエータ（接続操作手段）１５の長手方向（横幅方向）両側部分には、ブロック形状をなすように形成された回動係止部材１５ｃが、前記アクチュエータ１５の一部をなすように配置されている。すなわち、その回動係止部材１５ｃは、上述したアクチュエータ１５の回動操作に従って一体的に回動する構成になされており、アクチュエータ１５が「接続解除位置」（図１参照）にある場合においては、当該アクチュエータ１５の回動中心位置よりもやや図示上方側の位置に、略水平に所定長さにわたって延在する配置関係になされている。
【００４２】
一方、そのようなアクチュエータ（接続操作手段）１５に設けられた回動係止部材１５ｃの図示直下位置には、金属製の折り曲げビーム状部材からなる空閉じ防止手段１６が配置されている。この空閉じ防止手段１６は、前記絶縁ハウジング１１の底壁面に沿うように配置されており、上述した接続対象物（ＦＰＣ又はＦＦＣ）１４の挿入方向（図２及び図３の右方向）に延在するように取り付けられている。この空閉じ防止手段１６の配置位置は、上述したようにアクチュエータ１５の一部として設けられた回動係止部材１５ｃの直下位置、すなわち回動操作されるアクチュエータ１５の回動係止部材１５ｃが前記空閉じ防止手段１６と干渉する位置に設定されている。
【００４３】
従って、上述した接続対象物（ＦＰＣ又はＦＦＣ）１４の非挿入時に、前記アクチュエータ（接続操作手段）１５が上述した「接続解除位置」から「接続作用位置」に向かって倒されるようにして回動操作されると、そのアクチュエータ１５に設けられた回動係止部材１５ｃが、前記空閉じ防止手段１６に上方側から接触することとなり、その接触による干渉によって、前記アクチュエータ１５のそれ以上の回動操作が禁止されるように構成されている。
【００４４】
次に、上述した空閉じ防止手段１６の構造をより具体的に説明する。上記空閉じ防止手段１６は、前記接続対象物（ＦＰＣ又はＦＦＣ）１４の挿入方向に沿って延在する支持ビーム１６ａと、その支持ビーム１６ａの延在方向の一端側（前端側）を折り返すようにして連設された揺動ビーム１６ｂとを一体的に有している。そのうちの上記支持ビーム１６ａは、上述した絶縁ハウジング１１の横幅方向（長手方向）の両側における内壁面に沿うように固定されている。この支持ビーム１６ａが前記接続対象物１４側に向かって対面する前端側部分（図２及び図３の左端部分）には、平面略Ｕ字状をなすようにして折り返された揺動ビーム１６ｂの前端部分が連接されている。その揺動ビーム１６ｂは、当該揺動ビーム１６ｂの前端側折り返し部分から、その反対方向であるコネクタ後端側（図２及び図３の右端側）に向かって片持ち状をなすように延在している。
【００４５】
このような形状を有する揺動ビーム１６ｂは、前記支持ビーム１６ａに対して、前記絶縁ハウジング１１の横幅方向（長手方向）内方側部分に延在するように配置されており、上述した前端側の折返し部分を中心として、図示水平面内、すなわち前記絶縁ハウジング１１の横幅方向（長手方向）に弾性的に変位可能となるように構成されている。この揺動ビーム１６ｂの前端部分（図２及び図３の左端部分）における折返し部分は、前記絶縁ハウジング１１の対象物挿入口１１ａの横幅方向（長手方向）両側部分にそれぞれ配置されており、その前端側折返し部分からコネクタ後端側（図２及び図３の右端側）に向かって、前記支持ビーム１６ａから次第に離間していく方向、つまり前記絶縁ハウジング１１の横幅方向（長手方向）の内方側に向かって傾斜状に延在するように配置されている。そして、その傾斜して延在する揺動ビーム１６ｂの延在方向途中部分に対して、上述した接続対象物（ＦＰＣ又はＦＦＣ）１４の挿入方向前端縁部が当接される配置関係になされている。
【００４６】
また、その揺動ビーム１６ｂの延在方向における途中部分から後端側部分（図２及び図３の右端部分）にかけての部分は、再び前記絶縁ハウジング１１の横幅方向（長手方向）外方側に向かって斜めに延在するように外方側に折り曲げられており、当該揺動ビーム１６ｂの後端側部分（図２及び図３の右端部分）が、前記支持ビーム１６ａに向かって次第に近接していくように配置されている。
【００４７】
この揺動ビーム１６ｂは、上述したように接続対象物（ＦＰＣ又はＦＦＣ）１４の非挿入状態に前記アクチュエータ（接続操作手段）１５の回動係止部材１５ｃの直下位置、すなわち当該回動係止部材１５ｃの回動軌跡上に配置されており、前述したようにアクチュエータ１５が「接続解除位置」から「接続作用位置」へ回動操作された際には、そのアクチュエータ１５の回動係止部材１５ｃが前記揺動ビーム１６ｂの後端部分に対して上方側から接触して干渉する位置関係になされている。このように本実施形態では、接続対象物（ＦＰＣ又はＦＦＣ）１４の非挿入状態に、アクチュエータ１５の一部が空閉じ防止手段１６の揺動ビーム１６ｂと干渉する位置関係に維持されており、それによってアクチュエータ１５の回動操作が禁止されるように構成されている。
【００４８】
一方、この空閉じ防止手段１６を構成している揺動ビーム１６ｂの折返し部分が設けられている前端側部分（図２及び図３の左端側部分）は、前述したように絶縁ハウジング１１の内部に向かって挿入される接続対象物（ＦＰＣ又はＦＦＣ）１４の挿入方向前端部が当接される配置関係になされている。より具体的には、上記接続対象物１４が絶縁ハウジング１１の内部に挿入されるにあたって、当該接続対象物１４の挿入方向前端縁の両側角部が、上述した揺動ビーム１６ｂの前端側部分（折返し部分）の内側表面に当接するように配置されている。このような両者の当接関係によって上記接続対象物１４は、前記空閉じ防止手段１６の揺動ビーム１６ｂによる案内作用、すなわち位置決め作用を受けることとなり、上記揺動ビーム１６ｂの内側表面に沿って接続対象物１４が、横ズレすることなく正規の位置を維持しながら挿入されるようになっている。
【００４９】
また、上述したように空閉じ防止手段１６の揺動ビーム１６ｂは、コネクタ後端側に向かって、前記絶縁ハウジング１１の横幅方向（長手方向）の内方側に傾斜するように延在している。従って、前記接続対象物（ＦＰＣ又はＦＦＣ）１４が絶縁ハウジング１１の内部側に挿入されていくにあたって、上述した空閉じ防止手段１６の揺動ビーム１６ｂは、上記接続対象物１４の挿入前端側の角部に押圧されて外方側に押し広げられるように変位される構成になされている。このようにして接続対象物１４の挿入に連動して前記揺動ビーム１６ｂが、前記絶縁ハウジング１１の横幅方向（長手方向）の両側外方に向かって揺動することにより、当該揺動ビーム１６ｂの後端部分は、特に図８に示されているように前記支持ビーム１６ａに接触する状態まで変位することとなる。そして、その接続対象物１４が最終の奥側位置まで挿入された状態（図６〜図８参照）では、前記揺動ビーム１６ｂの後端側部分は、前述したアクチュエータ（接続操作手段）１５の回動係止部材１５ｃと非干渉状態となる外方位置まで弾性変位する構成になされている。
【００５０】
ここで、本実施形態における揺動ビーム１６ｂは、前端側から後端側へ向かって出来るだけ大きなスパン長をなして延在するように形成されており、それによって当該揺動ビーム１６ｂの前端側部分で生じた小さな変位が後端側では大きな変位に拡大される構成になされている。この構成は、上述したアクチュエータ（接続操作手段）１５の回動係止部材１５ｃに対して揺動ビーム１６ｂが非干渉となる外方位置へ変位する動作を確実に行わせるためのものである。
【００５１】
すなわち、上述した接続対象物（ＦＰＣ又はＦＦＣ）１４が挿入された後の状態においては、前記空閉じ防止手段１６の揺動ビーム１６ｂが最外位置まで揺動されることによって、前記アクチュエータ（接続操作手段）１５に設けられた回動係止部材１５ｃの回動軌跡外の位置、つまり非干渉となる位置まで退避される構成になされている。このようにしてアクチュエータ１５と空閉じ防止手段１６とは互いに非干渉状態となるように切り替えられることとなり、その結果、前記アクチュエータ１５の回動操作が許容される状態が維持されるようになっている。
【００５２】
このような構成を有する本実施形態によれば、空閉じ防止手段１６の揺動ビーム１６ｂが、接続操作手段としてのアクチュエータ１５に干渉するという簡易な構成によって、接続対象物（ＦＰＣ又はＦＦＣ）１４の非挿入時におけるアクチュエータ１５の回動操作が良好に防止される。従って、従来のように接続対象物１４が挿入される前の段階でアクチュエータ１５を誤って触れることなどにより空閉じ操作がなされた場合等においてアクチュエータ１５を再び元の接続解除位置まで引き起こすような無駄な操作が省略される。また、このようなアクチュエータ１５の空閉じ操作が防止されることによって、導電コンタクト１２，１３における塑性変形の発生も回避されるようになっている。
【００５３】
このとき本実施形態においては、接続対象物（ＦＰＣ又はＦＦＣ）１４が挿入されることに連動して、空閉じ防止手段１６の揺動ビーム１６ｂが、アクチュエータ（接続操作手段）１５と非干渉状態に変位されるため、接続対象物１４の挿入後におけるアクチュエータ１５の回動操作が確実に行われる。
【００５４】
さらに本実施形態によれば、空閉じ防止手段１６を構成している支持ビーム１６ａと揺動ビーム１６ｂとが一体的に形成されることから、空閉じ防止手段１６の製造が効率的に行われるようになっている。また、接続対象物（ＦＰＣ又はＦＦＣ）１４が接触する揺動ビーム１６ｂの折返し部を構成している前端側の根本部分が、片持ち状に延出する後端側部分に比してより高い剛性を有する部位になされていることから、その揺動ビーム１６ｂにおける高剛性の前端側折返し部分に対して接続対象物１４が当接しながら挿入が行われれることとなり、それによって、当該接続対象物１４が横ズレ等を生じることなく良好に位置決めされながら挿入されるようになっている。
【００５５】
さらに、その接続対象物（ＦＰＣ又はＦＦＣ）１４は、挿入時に揺動ビーム１６ｂの前端側折返し部分に当接することで仮保持状態に維持されることとなり、その揺動ビーム１６ｂの仮保持作用によって上記接続対象物１４は、挿入開始からアクチュエータ（接続操作手段）１５の回動による固定操作が完了するまでの一連の作業が極めて安定的に行われるようになっている。
【００５６】
［第２の実施形態］
また、上述した第１の実施形態と同一の構成部材に対して同一の符号を付与した図１０〜図１３に示された第２の実施形態における空閉じ防止手段２６は、絶縁ハウジング１１に固定された支持ビーム２６ａと、その支持ビーム２６ａの前端側部分から折り返された揺動ビーム２６ｂとを備えている。そのうちの揺動ビーム２６ｂは、前端側の折返し部分からコネクタ後端側に延在しているが、その延在方向の先端部分が内方側に向かって平面略Ｌ状に折り曲げられていることにより平板状部材からなる係合フック部２６ｃが形成されている。
【００５７】
一方、前述した第１の実施形態と同様な構成を有するアクチュエータ（接続操作手段）１５の回動中心近傍の後端側角部には、切欠き状をなすようにして係止凹部１５ｄが設けられている。そして、そのアクチュエータ（接続操作手段）１５の係止凹部１５ｄに対して、上述した揺動ビーム２６ｂの係合フック部２６ｃが嵌合することによって両者が干渉状態となり、その結果、上述した接続対象物（ＦＰＣ又はＦＦＣ）１４の非挿入時におけるアクチュエータ１５の回動操作が禁止されるようになっている。
【００５８】
また、上記空閉じ防止手段２６の揺動ビーム２６ｂは、第１の実施形態と同様に、接続対象物（ＦＰＣ又はＦＦＣ）１４の挿入に連動して変位する構成、すなわち前記接続対象物１４が挿入されることによって両側外方に押し広げられるように揺動される構成になされており、その接続対象物１４の挿入に連動して前記揺動ビーム２６ｂの係合フック部２６ｃが、前記アクチュエータ（接続操作手段）１５に設けられた係止凹部１５ｄから外方側に外れる位置まで退避される構成になされている。そのようにしてアクチュエータ１５と空閉じ防止手段２６とが互いに非嵌合状態となるように切り替えられることにより、その後におけるアクチュエータ１５の回動操作が許容される状態が維持されるように構成されている。
【００５９】
このような第２の実施形態においても、上述した第１の実施形態と同様な空閉じ操作を防止する作用・効果を得ることが可能である。なお、本実施形態における符号１５ｅは、アクチュエータ１５に設けられた変形規制部材を示すものであって、前記接続対象物（ＦＰＣ又はＦＦＣ）１４の非挿入状態において空閉じ防止手段２６の揺動ビーム２６ｂに対して、上方側から近接又は軽接触するように配置されている。このような変形規制部材１５ｅを設けることによって、上述した揺動ビーム２６ｂの無用な変形が防止されることとなり、揺動ビーム２６ｂの係合フック部２６ｃがアクチュエータ１５の係止凹部１５ｄから外れることなく嵌合状態が確実に保持されるようにしている。
【００６０】
［第３の実施の形態］
一方、図１４〜図１９に示された第３の実施形態は、コネクタ後端側（図１６及び図１７の右端側）に配置された接続操作手段としてのアクチュエータ３５が、後方側に向かって倒されるように回動される型式の電気コネクタ３０に本発明を適用したものであって、前述した第１の実施形態にかかる電気コネクタ１０におけるアクチュエータ（接続操作手段）１５が、ほぼ直立した状態の「接続解除位置」から前方側に倒れるにようにして「接続作用位置」まで回動操作される構成になされているのに対して、本実施形態にかかる電気コネクタ３０では、接続操作手段としてのアクチュエータ３５が、ほぼ直立した状態の「接続解除位置」から反対側の後方側に向かって倒れるようにして「接続作用位置」まで回動操作される構成になされている。
【００６１】
そして、その他の構成については基本的にほぼ同様なものとなっていることから、この第３の実施形態に関する説明においては、上述した第１の実施形態を構成している各部材に付与している各符号中の十の位「１」を「３」に替えて付与することとして詳細な説明は省略するとともに、基本的に相違する構成についての説明を以下において行うこととする。
【００６２】
まず、アクチュエータ（接続操作手段）３５の長手方向（横幅方向）両側部分には、ブロック形状をなすように形成された回動係止部材３５ｃが、前記アクチュエータ３５の一部をなすように配置されている。その回動係止部材３５ｃは、上述したアクチュエータ３５の回動中心近傍位置において長手方向（横幅方向）の両側外方に向かって段差状をなすように突出する形状になされている。
【００６３】
一方、そのようなアクチュエータ（接続操作手段）３５に設けられた回動係止部材３５ｃに対応して、金属製の折り曲げビーム状部材からなる空閉じ防止手段３６が、絶縁ハウジング３１の底壁面に沿うように配置されている。以下、この空閉じ防止手段３６の構造を具体的に説明する。
【００６４】
すなわち、上記空閉じ防止手段３６は、図示を省略している接続対象物（ＦＰＣ又はＦＦＣ）の挿入方向に沿って延在する支持ビーム３６ａと、その支持ビーム３６ａの延在方向の一端側（前端側）を折り返すようにして連設された揺動ビーム３６ｂとを一体的に有している。そのうちの上記支持ビーム３６ａは、前記絶縁ハウジング３１の横幅方向（長手方向）の両側における内壁面に沿うように固定されている。この支持ビーム３６ａが前記接続対象物１４側に向かって対面する前端側部分（図２及び図３の左端部分）には、平面略Ｕ字状をなすようにして折り返された揺動ビーム３６ｂの前端部分が連接されている。その揺動ビーム３６ｂは、当該揺動ビーム３６ｂの前端側折り返し部分から、その反対方向であるコネクタ後端側（図１６及び図１７の右端側）に向かって片持ち状をなすように延在している。
【００６５】
このような形状を有する揺動ビーム３６ｂは、前記支持ビーム３６ａに対して、前記絶縁ハウジング３１の横幅方向（長手方向）内方側部分に延在するように配置されており、上述した前端側の折返し部分を中心として、前記絶縁ハウジング３１の横幅方向（長手方向）に弾性的に変位可能となるように構成されている。この揺動ビーム３６ｂの前端部分（図１６及び図１７の左端部分）における折返し部分は、前記絶縁ハウジング３１の対象物挿入口３１ａの横幅方向（長手方向）両側部分にそれぞれ配置されており、その前端側折返し部分からコネクタ後端側（図１６及び図１７の右端側）に向かって、前記支持ビーム３６ａから次第に離間していく方向、すなわち前記絶縁ハウジング３１の横幅方向（長手方向）の内方側に向かって傾斜状に延在するように配置されている。そして、その傾斜して延在する揺動ビーム３６ｂの延在方向途中部分に対して、上述した接続対象物（ＦＰＣ又はＦＦＣ）の挿入方向前端部が当接される配置関係になされている。
【００６６】
また、その揺動ビーム３６ｂの延在方向における途中部分から後端側部分（図１６及び図１７の右端部分）にかけての部分は、再び前記絶縁ハウジング３１の横幅方向（長手方向）外方側に向かって斜めに延在するように折り曲げられており、当該揺動ビーム３６ｂの後端側部分（図１６及び図１７の右端部分）が、前記支持ビーム３６ａより後方側の領域において当該支持ビーム３６ａと前記横幅方向においてほぼ同じ位置に延在するように配置されている。
【００６７】
この揺動ビーム３６ｂの延在方向先端部分（後端部分）には、二股形状をなすように形成されたフック係合部３６ｃが形成されている。この揺動ビーム３６ｂのフック係合部３６ｃは、上述した接続対象物（ＦＰＣ又はＦＦＣ）の非挿入状態において、前記アクチュエータ（接続操作手段）３５の回動係止部材３５ｃを上下から挟み込むように構成されている。すなわち、この揺動ビーム３６ｂのフック係合部３６ｃとアクチュエータ３５の回動係止部材３５ｃとは、互いに嵌合し合うように構成されており、接続対象物（ＦＰＣ又はＦＦＣ）の非挿入状態においては、アクチュエータ３５の一部が空閉じ防止手段３６のフック係合部３６ｃに嵌合される位置関係に維持され、それによってアクチュエータ３５の回動操作が禁止されるように構成されている。
【００６８】
一方、この空閉じ防止手段３６を構成している揺動ビーム３６ｂの折返し部分が設けられている前端側部分（図１６及び図１７の左端側部分）は、前述したように絶縁ハウジング３１の内部に向かって挿入される接続対象物（ＦＰＣ又はＦＦＣ）の挿入方向前端部が当接される配置関係になされている。より具体的には、上記接続対象物が絶縁ハウジング３１の内部に挿入されるにあたって、当該接続対象物の挿入方向前端縁の両側角部が、上述した揺動ビーム３６ｂの前端側部分（折返し部分）の内側表面に当接するように配置されている。このような両者の当接関係によって上記接続対象物が、前記空閉じ防止手段３６の揺動ビーム３６ｂによる案内作用、すなわち位置決め作用を受けることとなり、上記揺動ビーム３６ｂの内側表面に沿って接続対象物が、横ズレすることなく正規の位置を維持しながら挿入されるようになっている。
【００６９】
また、そのようにして接続対象物（ＦＰＣ又はＦＦＣ）が絶縁ハウジング３１の内部側に挿入されるに従って、上述した空閉じ防止手段３６の揺動ビーム３６ｂは、両側外方に向かって押し広げられるようにして揺動され、前記揺動ビーム３６ｂの後端側部分が、図１８中の２点鎖線で示されているように前記絶縁ハウジング３１の横幅方向（長手方向）の両側外方に向かって変位される。そして、接続対象物が最終の奥側位置まで挿入された状態では、前記揺動ビーム３６ｂの後端側部分に設けられたフック係合部３６ｃが、前述したアクチュエータ（接続操作手段）３５の回動係止部材３５ｃに対して非嵌合となるように弾性変位した状態に維持されるように構成されている。
【００７０】
このように本実施形態における空閉じ防止手段３６の揺動ビーム３６ｂは、上述した接続対象物（ＦＰＣ又はＦＦＣ）の挿入に連動して最外位置まで揺動され、その接続対象物の最終挿入状態において、前記揺動ビーム３６ｂのフック係合部３６ｃが前記アクチュエータ（接続操作手段）３５に設けられた回動係止部材３５ｃに対して非嵌合となる外方位置まで退避される構成になされている。このようにして前記アクチュエータ３５と空閉じ防止手段３６とが互いに非嵌合状態となるように切り替えられ、その結果、前記アクチュエータ３５の回動操作が許容される状態が維持される。
【００７１】
このような構成を有する本実施形態においても、上述した各実施形態と同様な作用・効果が得られる。
【００７２】
［第４の実施形態］
また、上述した第３の実施形態と同一の構成部材に対して同一の符号を付与した図２０〜図２２に示された第４の実施形態における空閉じ防止手段４６は、絶縁ハウジング４１に固定された支持ビーム４６ａと、その支持ビーム４６ａの前端側部分から折り返された揺動ビーム４６ｂとを備えている。そのうちの揺動ビーム４６ｂは、前端側の折返し部分からコネクタ後端側に延在しているが、その延在方向の先端部分が内方側に向かって平面略Ｌ状に折り曲げられていることにより平板状部材からなる係合フック部４６ｃが形成されている。
【００７３】
一方、前述した第３の実施形態と同様な構成を有するアクチュエータ（接続操作手段）４５の回動中心近傍の後端側角部には、切欠き状をなすようにして係止凹部４５ｄが設けられている。そして、そのアクチュエータ（接続操作手段）４５の係止凹部４５ｄに対して、上述した揺動ビーム４６ｂの係合フック部４６ｃが嵌合することによって係止状態となり、その結果、図示を省略した接続対象物（ＦＰＣ又はＦＦＣ）の非挿入時におけるアクチュエータ４５の回動操作が禁止されるようになっている。
【００７４】
また、上記空閉じ防止手段４６の揺動ビーム４６ｂは、第３の実施形態と同様な接続対象物（ＦＰＣ又はＦＦＣ）が挿入された状態において、その接続対象物の挿入に連動して両側外方に押し広げられることにより揺動される構成になされており、当該揺動ビーム４６ｂの係合フック部４６ｃが、前記アクチュエータ（接続操作手段）４５に設けられた係止凹部４５ｄから外方側に外れる位置まで退避される構成になされている。そして、それによってアクチュエータ４５と空閉じ防止手段４６とが互いに非嵌合状態となるように切り替えられ、その後におけるアクチュエータ４５の回動操作が許容される状態が維持される構成になされている。
【００７５】
このような第４の実施形態においても、上述した第１の実施形態と同様な空閉じ操作を防止する作用・効果を得ることが可能である。
【００７６】
［第５の実施の形態］
さらに、前述した第１の実施形態に関する変形実施形態である図２３及び図２４に表された第５の実施形態では、支持ビーム１６ｂの後端寄りの部分に、上方に向かって突出する操作保持部１６ｃが設けられている。その操作保持部１６ｃは、その上端部分が内方側に向かって略直角に折り曲げられており、アクチュエータ（接続操作手段）１５の回動係止部材１５ｃの上方位置を略水平に延在するように配置されている。すなわち、本実施形態における空閉じ防止手段１６に設けられた操作保持部１６ｃは、前記アクチュエータ１５の回動操作方向と反対側の後方側への倒れ方向の軌跡上に配置されていることによって当該アクチュエータ１５と係合可能となるように配置されており、前記アクチュエータ１５の回動操作方向と反対側の倒れが防止されるようになっている。
【００７７】
さらに上述した操作保持部１６ｃは、後方側に向かって延出しており、その延出部分が図示下方に向かって階段状に折り曲げられていることによって、図示を省略した印刷配線基板上に半田接続されるホールドダウン１６ｄに形成されている。このようにすれば、コネクタ全体の保持性が向上されることとなる。なお、このようなホールドダウンは、コネクタ長手方向の両側外方に向かって延出するように形成することも可能である。
【００７８】
以上、本発明者によってなされた発明を実施形態に基づき具体的に説明したが、本発明は上述した実施形態に限定されるものではなく、その要旨を逸脱しない範囲で種々変形可能であるというのはいうまでもない。
【００７９】
例えば上述した各実施形態では、電気コネクタに固定される接続対象物として、フレキシブル・プリンテッド・サーキット（ＦＰＣ）用配線板、及びフレキシブル・フラット・ケーブル（ＦＦＣ）を採用しているが、その他の信号伝送用媒体等を用いた場合に対しても本発明は同様に適用することができる。
【００８０】
また、上述した各実施形態における接続操作手段は、回動操作されるアクチュエータから構成されているが、スライド操作される接続操作手段を有する電気コネクタに対しても本発明は同様に適用することが可能である。同様に本発明は、接続操作手段（アクチュエータ）が、前端側部分に配置された電気コネクタや、前端側部分と後端側部分との間部分に接続操作手段（アクチュエータ）が配置された電気コネクタに対しても同様に適用することが可能であり、さらにそのときの接続操作手段（アクチュエータ）の回動方向又はスライド方向は、前方側又は後方側のいずれてあっても良い。
【００８１】
さらに、上述した各実施形態においては、空閉じ防止手段として金属製のビーム状部材が採用されているが、樹脂部材で構成したものや、接続操作手段の回動操作を電気的な動作又は作用によって禁止・許容するようにした手段であっても同様に採用することができる。
【００８２】
また、上述した実施形態にかかる電気コネクタには、形状が異なる第１及び第２の導電コンタクトを用いたものであるが、同一形状の導電コンタクトを用いたものであっても同様に適用することが可能である。
【産業上の利用可能性】
【００８３】
本発明は、各種電気機器に使用する多種多様な電気コネクタに対して広く適用することが可能である。
【図面の簡単な説明】
【００８４】
【図１】本発明の第１の実施形態にかかる電気コネクタが接続解除状態にある場合の全体構成を表した外観斜視説明図である。
【図２】図１に示された電気コネクタの特定位置における内部構造を表した縦断面説明図である。
【図３】図１に示された電気コネクタの特定位置に隣接する位置における縦断面説明図である。
【図４】図１に示された電気コネクタから絶縁ハウジングを取り外した場合の長手方向一端部分における内部構造を拡大して表した正面側からの斜視説明図である。
【図５】図１に示された電気コネクタの長手方向他端部分における内部構造を拡大して表した横断面説明図である。
【図６】図１〜図５に示された本発明の一実施形態にかかる電気コネクタに対して接続対象物（ＦＰＣ又はＦＦＣ）を挿入した状態を表した外観斜視説明図である。
【図７】図６に示された電気コネクタに接続対象物（ＦＰＣ又はＦＦＣ）を挿入した状態において絶縁ハウジングを取り外した場合の長手方向一端部分における内部構造を拡大して表した正面側からの斜視説明図である。
【図８】図６に示された電気コネクタに接続対象物（ＦＰＣ又はＦＦＣ）を挿入した状態の長手方向一端部分における内部構造を拡大して表した横断面説明図である。
【図９】図１〜図５に示された本発明の第１の実施形態にかかる電気コネクタのアクチュエータ（接続操作手段）を回動操作することにより接続作用状態とした場合の外観斜視説明図である。
【図１０】本発明の第２の実施形態にかかる電気コネクタの長手方向一端部分の内部構造を拡大して表した横断面説明図である。
【図１１】図１０に示された電気コネクタの絶縁ハウジングを取り外した場合の長手方向一端部分における内部構造を拡大して表した背面側からの斜視説明図である。
【図１２】図１０に示された電気コネクタに接続対象物（ＦＰＣ又はＦＦＣ）を挿入した状態の長手方向他端部分における内部構造を拡大して表した横断面説明図である。
【図１３】図１０及び図１１に示された電気コネクタに接続対象物（ＦＰＣ又はＦＦＣ）を挿入した状態における長手方向一端部分における内部構造を拡大して表した背面側からの斜視説明図である。
【図１４】本発明の第３の実施形態にかかる電気コネクタが接続解除状態にある場合の全体構成を表した外観斜視説明図である。
【図１５】図１３に示された本発明の第３の実施形態にかかる電気コネクタのアクチュエータ（接続操作手段）を回動操作することにより接続作用状態とした場合の外観斜視説明図である。
【図１６】図１４に示された電気コネクタの特定位置における内部構造を表した縦断面説明図である。
【図１７】図１６に示された電気コネクタの特定位置に隣接する位置における縦断面説明図である。
【図１８】図１４〜図１７に示された電気コネクタから絶縁ハウジングを取り外した場合の長手方向一端部分における内部構造を拡大して表した正面側からの斜視説明図である。
【図１９】図１８に示された電気コネクタの長手方向他端部分の内部構造を拡大して表した横断面説明図である。
【図２０】本発明の第４の実施形態における電気コネクタから絶縁ハウジングを取り外した場合の長手方向一端部分における内部構造を拡大して表した正面側からの斜視説明図である。
【図２１】図２０に示された電気コネクタの長手方向一端部分における内部構造を拡大して表した背面側からの斜視説明図である。
【図２２】図２０に示された電気コネクタの長手方向他端部分における内部構造を拡大して表した横断面説明図である。
【図２３】本発明の第５の実施形態における電気コネクタから絶縁ハウジングを取り外した場合の長手方向一端部分における内部構造を拡大して表した正面側からの斜視説明図である。
【図２４】図２３に示された電気コネクタの長手方向一端部分における内部構造を拡大して表した背面側からの斜視説明図である。
【図２５】一般の電気コネクタにおいて接続対象物（ＦＰＣ又はＦＦＣ）を挿入する状態を表した外観斜視説明図である。
【符号の説明】
【００８５】
１０  電気コネクタ
１１  絶縁ハウジング
１１ａ  対象物挿入口
１１ｂ  部品取付口
１２，１３  第１及び第２の導電コンタクト
１４  接続対象物（ＦＰＣ又はＦＦＣ）
１５  アクチュエータ（接続操作手段）
１２ａ，１３ａ  可動ビーム
１２ａ１，１３ａ１  端子接触凸部
１２ａ２，１３ａ２  被作動部
１２ｂ，１３ｂ  固定ビーム
１２ｂ１，１３ｂ１  端子接触凸部
１２ｂ２，１３ｂ２  接続端子部
１２ｃ，１３ｃ  連結支柱部
１５ａ  押圧カム部
１５ｂ  開閉操作部
１５ｃ  回動係止部材
１５ｄ  係止凹部
１５ｅ  変形規制部材
１６  空閉じ防止手段
１６ａ  支持ビーム
１６ｂ  揺動ビーム
１６ｃ  操作保持部
１６ｄ  ホールドダウン
２６  空閉じ防止手段
２６ａ  支持ビーム
２６ｂ  揺動ビーム
２６ｃ  係合フック部
３０  電気コネクタ
３１  絶縁ハウジング
３５  アクチュエータ（接続操作手段）
３５ｃ  回動係止部材
３６  空閉じ防止手段
３６ａ  支持ビーム
３６ｂ  揺動ビーム
３６ｃ  フック係合部
４６  空閉じ防止手段
４６ａ  支持ビーム
４６ｂ  揺動ビーム
４６ｃ  係合フック部
４５  アクチュエータ（接続操作手段）
４５ｄ  係止凹部
【図１】
0005157651.tif 000002
【図２】
0005157651.tif 000003
【図３】
0005157651.tif 000004
【図４】
0005157651.tif 000005
【図５】
0005157651.tif 000006
【図６】
0005157651.tif 000007
【図７】
0005157651.tif 000008
【図８】
0005157651.tif 000009
【図９】
0005157651.tif 000010
【図１０】
0005157651.tif 000011
【図１１】
0005157651.tif 000012
【図１２】
0005157651.tif 000013
【図１３】
0005157651.tif 000014
【図１４】
0005157651.tif 000015
【図１５】
0005157651.tif 000016
【図１６】
0005157651.tif 000017
【図１７】
0005157651.tif 000018
【図１８】
0005157651.tif 000019
【図１９】
0005157651.tif 000020
【図２０】
0005157651.tif 000021
【図２１】
0005157651.tif 000022
【図２２】
0005157651.tif 000023
【図２３】
0005157651.tif 000024
【図２４】
0005157651.tif 000025
【図２５】
0005157651.tif 000026